(57)【特許請求の範囲】
【請求項１】
音声通話機能、通信ネットワークを介し鉄道事業者のサーバとの間でデータの送受信を行うデータ通信機能及びキー操作部で入力した文字や選択のためのメニューあるいは受信したデータを表示するデータ表示機能を有する携帯電話部と、ゲート制御のためのゲート用処理装置に用いる定期券内容記憶領域、乗車履歴記憶領域及びプリペード残高記憶領域を有するメモリを備える非接触式カードとの間で非接触でデータ送受信するカード通信部と、が一体的に設けられた移動機であって、
前記携帯電話部は、通信ネットワークを介して前記鉄道事業者のサーバにアクセスし、定期券の更新、指定券の発券、プリペードカードの充当、料金の積み増しのデータ通信を行ない、そのデータを前記カード通信部を介して前記非接触式カードに書きこむようにし、前記ゲート用処理装置は、自動改札機または精算処理に際して前記携帯電話部側において切り替えて使用される自動精算機であり、前記非接触式カードのデータを読み取ったり書き込みの制御を行うとともに、ゲート部の制御を行うものであることを特徴とする移動機。
【請求項２】
音声通話機能、通信ネットワークを介し鉄道事業者のサーバとの間でデータの送受信を行うデータ通信機能及びキー操作部で入力した文字や選択のためのメニューあるいは受信したデータを表示するデータ表示機能を有するとともに、ゲート制御のためのゲート処理装置との間で非接触でデータの読み書きをするためのアンテナが一体的に設けられた携帯電話部と、前記アンテナを介してゲート用処理装置とデータの読み書きをするとともに、前記携帯電話部との間でデータの送受信を行なう定期券内容記憶領域、乗車履歴記憶領域及びプリペード残高記憶領域を有するメモリを備える小型カード型に形成されたゲート制御部が該携帯電話部にコネクタを介して装着自在に組み込まれてなる移動機であって、
前記携帯電話部は、通信ネットワークを介して前記鉄道事業者のサーバにアクセスし、定期券の更新、指定券の発券、プリペードカードの充当、料金の積み増しのデータ通信を行ない、そのデータを前記ゲート制御部のメモリに書きこむようにし、前記ゲート用処理装置は、自動改札機または精算処理に際して前記携帯電話部側において切り替えて使用される自動精算機であり、前記ゲート制御部のデータを読み取ったり書き込みの制御を行うとともに、ゲート部の制御を行うものであることを特徴とする移動機。
【発明の詳細な説明】
【０００１】
【産業上の利用分野】
本発明は、携帯電話機の機能と自動改札機、劇場や映画館、ホテルの部屋のドア等のゲートを通過する機能及び料金精算処理の機能を有する移動機に関するものである。
【０００２】
【従来の技術】
移動体通信技術の進展にともない、携帯電話機は、ますます軽量小型化するとともに、音声通話だけでなくデータの送受信ができるようになり、多くの人が所持し大幅に普及している。
【０００３】
一方、首都圏各駅等の改札口にはほとんど自動改札機が設置されており、磁気カードからなる乗車券や定期券に記憶されている磁気データを読み取って、通過する条件を満たしているか否かを判断してドアを開閉制御し、乗降客の入出を規制している。また、磁気カードには、現金に換わって支払いするプリペードカード、クレジットカードが普及し、これらの磁気カードで乗車券や定期券等を購入したり、そのカードを直接使用して自動改札機を通過することができるものもある。さらに、近年では、非接触式ＩＣカードによる自動改札機が提案されている。また、ＩＣカードには、磁気カードに換わって、残額の積み増しのできるものも使用されている。
【０００４】
【発明が解決しようとする課題】
従来の携帯電話機は、音声通話またはデータの送受信の機能のみとして使用されることが一般的であり、改札のための定期券やプリペードカード等とは別に所持している。また、非接触式ＩＣカードを自動改札あるいは磁気カードに換わるプリペードカードの機能を持つように利用した場合には、ＩＣカード自体に表示部を備えていないため、定期券内容、乗降履歴あるいはプリペードカードの残額を簡単に表示させて知ることができない。また、非接触式ＩＣカードのプリペードカードとしての積み増しは、駅等に備え付けた機器を使用しなければならない。多くの人が所持する携帯電話機に非接触式ＩＣカードによる自動改札あるいはプリペードカードの機能を併せ持たせれば、それぞれを別々に所持する必要がなく、また携帯電話機の表示部においてカードに記憶されているデータを表示することができ、かつ携帯電話機のデータ通信機能を利用して、定期券の更新、指定券等の発券、あるいはプリペードカードの充当や残高の積み増しが可能になる。
【０００５】
本発明は上記事情に鑑みなされたもので、音声通話及びデータの送受信ができるだけでなく、改札口等のゲートを非接触による処理で通過できるとともにプリペードカードの機能を有し、定期券内容、ゲート通過の履歴、残高等を表示でき、定期券の更新、指定券等の発券、あるいはプリペードカードの充当や残高の積み増しができる移動機を提供することを目的とする。
【０００６】
【課題を解決するための手段】
上記目的を達成するために請求項１記載の発明にあっては、音声通話機能、通信ネットワークを介し鉄道事業者のサーバとの間でデータの送受信を行うデータ通信機能及びキー操作部で入力した文字や選択のためのメニューあるいは受信したデータを表示するデータ表示機能を有する携帯電話部と、ゲート制御のためのゲート用処理装置に用いる定期券内容記憶領域、乗車履歴記憶領域及びプリペード残高記憶領域を有するメモリを備える非接触式カードとの間で非接触でデータ送受信するカード通信部と、が一体的に設けられた移動機であって、前記携帯電話部は、通信ネットワークを介して前記鉄道事業者のサーバにアクセスし、定期券の更新、指定券の発券、プリペードカードの充当、料金の積み増しのデータ通信を行ない、そのデータを前記カード通信部を介して前記非接触式カードに書きこむようにし、前記ゲート用処理装置は、自動改札機または精算処理に際して前記携帯電話部側において切り替えて使用される自動精算機であり、前記非接触式カードのデータを読み取ったり書き込みの制御を行うとともに、ゲート部の制御を行うものであることを特徴とするものである。
【０００７】
請求項２記載の発明にあっては、音声通話機能、通信ネットワークを介し鉄道事業者のサーバとの間でデータの送受信を行うデータ通信機能及びキー操作部で入力した文字や選択のためのメニューあるいは受信したデータを表示するデータ表示機能を有するととに、ゲート制御のためのゲート処理装置との間で非接触でデータの読み書きをするためのアンテナが一体的に設けられた携帯電話部と、前記アンテナを介してゲート用処理装置とデータの読み書きをするとともに、前記携帯電話部との間でデータの送受信を行なう定期券内容記憶領域、乗車履歴記憶領域及びプリペード残高記憶領域を有するメモリを備える小型カード型に形成されたゲート制御部が該携帯電話部にコネクタを介して装着自在に組み込まれてなる移動機であって、前記携帯電話部は、通信ネットワークを介して前記鉄道事業者のサーバにアクセスし、定期券の更新、指定券の発券、プリペードカードの充当、料金の積み増しのデータ通信を行ない、そのデータを前記ゲート制御部のメモリに書きこむようにし、前記ゲート用処理装置は、自動改札機または精算処理に際して前記携帯電話部側において切り替えて使用される自動精算機であり、前記ゲート制御部のデータを読み取ったり書き込みの制御を行うとともに、ゲート部の制御を行うものであることを特徴とするものである。
【００１６】
【発明の実施の形態】
以下、本発明を図示の一実施形態により具体的に説明する。図１〜図３は本発明第１実施形態を説明する図であり、図１は移動機と非接触式カードとゲート用処理装置の構成を説明するブロック図、図２はネットワーク構成を説明する図、図３は非接触式カードのメモリ領域を説明する図である。
【００１７】
これらの図において、本実施形態においては、移動機１０と、非接触でデータの読み取りと書き込みができるＩＣカードからなる非接触式カード３０と、この非接触式カード３０に書き込まれているデータを読み取って通過する条件を満たしているか否かを判断してドアの開閉制御を行なうとともに必要なデータを書き込むゲート用処理装置４０とを有し、また、移動機１０を含む移動体通信ネットワーク１は、基地局２と、交換機３と、情報転送システム４と、ゲートウェイ５等とからなり、この移動体通信ネットワーク１に、ゲート用処理装置４０に使用される非接触式カード３０における定期券の発行や更新、指定券の発券、プリペードカードの充当や料金の積み増し、及びプリペードカードに関するデータの管理を行なうための鉄道事業者等のサーバ７及びデータベース８が接続された通信ネットワーク６に接続されている。
【００１８】
移動機１０は、通常の音声通話が可能な機能、移動体通信ネットワーク１及び通信ネットワーク６を介してサーバ７との間でデータの送受信を行なう機能、及びデータの表示機能を備える携帯電話部１１と、非接触式カード３０のデータを読み出したり、また接触式カード３０へデータの書き込みを行なうとともに、携帯電話部１１との間でデータの送受信を行なうカード通信部２５とが一体的に設けられている。
【００１９】
携帯電話部１１は、アンテナ１２、無線送受信部１３、音声変換回路１４、スピーカ１５、マイク１６、メッセージ通信部１７、キー操作部１８、表示部１９、メモリ２０及び制御部２１等を備えている。無線送受信部１３は、音声変換回路１４またはメッセージ通信部１７から入力される送信データを基地局２に無線送信するための所定の無線周波数の送信信号に周波数変換してアンテナ１２から送信したり、アンテナ１２により基地局２から受信した受信信号を周波数変換して、音声変換回路１４またはメッセージ通信部１７へ出力する。音声変換回路１４は、図示しない音声変換のためのコーディック部及び時分割接続処理部等を備え、受信した音声信号をスピーカ１５へ出力し、マイク１６から入力した音声を送信信号として無線送受信部１３へ出力する。メッセージ通信部１７は、移動体通信ネットワーク１あるいはサーバ７等に対する情報のリクエストを送信信号に編成して無線送受信部１３へ送信し、またリクエストに対する回答を無線送受信部１３から受信して表示部１９等へ出力するための処理を行なう部分である。キー操作部１８は、各種操作のためのキー、文字や英数字を入力するためのキー等を備える部分である。表示部１９は、白黒またはカラー表示の液晶表示器を備え、キー操作部１８で入力した文字や選択のためのメニューあるいは受信したデータを表示する部分である。メモリ２０は、非接触式カード３０から読み出したりデータベース８に照会したデータ、あるいは非接触式カード３０へ書き込むためのデータを一時的に記憶する部分である。制御部２１は、上記の各部を制御するとともに送受信データや制御データ等を転送制御する部分である。
【００２０】
カード通信部２５は、インターフェース回路２６、カード通信制御部２７及びアンテナ２８等を備えている。カード通信制御部２７は、アンテナ２８と非接触式カード３０のアンテナ３１との無線結合により、非接触式カード３０のデータを読み取ったり、また非接触式カード３０にデータを書き込むための通信制御を行なう部分である。インターフェース回路２６は、携帯電話部１１の制御部２１とカード通信制御部２４との間にあって書き込むデータや読み出したデータを送受信するための回路である。
【００２１】
非接触式カード３０は、例えば、薄板カード状のケースに収納した図示しない基板に回路を設けて密閉された構造を有する、規格化された寸法のＩＣカードであり、アンテナ３１、通信制御部３２、カード制御部３３、メモリ３４等を備え、ゲート用処理装置４０または移動機１０からの無線による非接触での送信（呼び掛け）に呼応して、処理を開始してデータを記憶し、ゲート用処理装置４０または移動機１０に対して必要なデータを送信するものである。アンテナ３１は、ゲート用処理装置４０のアンテナ４１及びカード通信部２５のアンテナ２８との無線結合に適したコイルである。通信制御部３２は、アンテナ３１を介してゲート用処理装置４０及び移動機１０との間でデータの送受信を制御する部分である。メモリ３４は、ゲート用処理装置４０及び移動機１０の呼び掛けに対する処理を行なうルーチンが記憶されるとともに、図３に示すように、定期券内容記憶領域、乗降履歴記憶領域、プリペード残高記憶領域を有する。定期券内容記憶領域には、利用区間、有効期間、定期券料金等のデータが記憶され、乗降履歴記憶領域には、乗降履歴として利用日、乗降駅名等のデータが記憶され、プリペード残高記憶領域には、入金日と入金金額、利用日毎の残高と最終残高等のデータが記憶されている。カード制御部３３は、メモリ３４に記憶されているルーチンによりデータの読み出しあるいは書き込み等の処理を実行する部分である。
【００２２】
ゲート用処理装置４０は、例えば、駅の改札口を制御する自動改札機であり、アンテナ４１、カードリーダ／ライタ４２、インターフェース回路４３、制御部４４、メモリ４５及びゲート部４６等を備えている。カードリーダ／ライタ４２は、アンテナ４１と非接触式カード３０のアンテナ３１との無線結合により、非接触式カード３０のデータを読み取ったり、また非接触式カード３０にデータを書き込むための制御を行なう部分である。インターフェース回路４３は、カードリーダ／ライタ４２と制御部４４との間にあって書き込むデータや読み出したデータを送受信するための回路である。メモリ４５は、ゲート部４６を制御するためのルーチン、料金を演算するルーチン、及び一時的な演算結果等を記憶する部分である。ゲート部４６は、制御部４４により開閉が制御されるドア、案内表示部、表示灯、スピーカ等である。制御部４４は、メモリ４５に記憶されているルーチンにより通過の可否を判断してゲート部４６を制御し、料金を演算する等のデータ処理を行なう部分である。
【００２３】
次に、上記構成の移動機１０及び非接触式カード３０の使用例を説明する。まず、非接触式カード３０は、鉄道事業者等の購入窓口において、定期券またはプリペードカード、あるいは両者を備えるものとして購入する。従って、最初に購入した場合には、定期券では利用区間や有効期間が予め設定され、プリペードカードでは利用金額が予め設定されている。そして、移動機１０は、非接触式カード３０が定期券またはプリペードカードのいずれで使用できるかを設定できるようになっている。
【００２４】
次に、この非接触式カード３０を利用して改札口を通過する場合には、非接触式カード３０をゲート用処理装置４０のアンテナ４１が設けられた通信エリア内にかざすと、ゲート用処理装置４０のアンテナ４１と非接触式カード３０のアンテナ３１との無線結合により通信が開始され、カードリーダ／ライタ４２が非接触式カード３０のデータを読み出し、インターフェース回路４３を介して制御部４４に取り込む。制御部４４は、取り込んだデータにより、正しいカードであることを判断し、定期券の場合には利用区間、有効期間を判断し、プリペードカードの場合には、乗車区間、残高を判断し、通過可能条件を満足しているか否かに基づいてゲート部４６を制御するとともに、料金計算等を行なう。通過条件を満足しているときには、ゲート部４６のドアが開くとともに案内表示部に所定の表示が行なわれて通過することができる。続いて、制御部４４は、書き込みデータをインターフェース回路４３を介してカードリーダ／ライタ４２へ送信し、このカードリーダ／ライタ４２がアンテナ４１を介して非接触式カード３０へ送信する。この書き込みデータは、非接触式カード３０のアンテナ３１を介して通信制御部３２に受信されるとともにカード制御部３３へ取り込まれ、メモリ３４の所定の領域に書き込まれる。すなわち、定期券の場合には、乗降駅名が日付とともに乗降履歴記憶領域に記憶され、プリペードカードの場合には、同様に乗降駅名が日付とともに乗降履歴記憶領域に記憶され、かつ精算した残高がプリペードカード残高記憶領域に記憶される。なお、乗降履歴は、非接触式カード３０においては、例えば、最も新しい２０件等の一定の限られた件数のみ記憶し、それ以上の乗降履歴はゲート処理装置４０が非接触式カード３０から読み出す度に一日の終了時等にまとめてネットワークを介してサーバ７へ送信しデータベース８へ記憶する。したがって、後に説明する移動機１０におけるプリペードカードにおける乗降履歴の表示においては、移動機１０がネットワークを介して鉄道事業者のデータベース８に照会するようになっている。
【００２５】
次に、表示等のために移動機１０が非接触式カード３０のデータを読み出す場合には、非接触式カード３０をカード通信部２５のアンテナ２８が設けられた通信エリア内にかざすと、カード通信部２５のアンテナ２８と非接触式カード３０のアンテナ３１との無線結合により通信が開始される。そして、非接触式カード３０のカード制御部３３がメモリ３４から読み出したデータを通信制御部３２からアンテナ３１を介して送信し、この送信されてきたデータがカード通信部２５のアンテナ２８を介してカード通信制御部２７で受信され、インターフェース回路２６を介して携帯電話部１１の制御部２１に取り込まれ、メモリ２０に記憶される。また、定期券の更新、プリペードカードの積み増しあるいは指定券の発券等のように予め鉄道事業者のサーバ７にアクセスしてメモリ２０に記憶されているデータを非接触式カード３０へ書き込む場合には、同様にして非接触式カード３０をカード通信部２５のアンテナ２８が設けられ通信エリア内にかざすと通信が開始され、制御部２１がメモリ２０から読み出したデータをインターフェース回路２６を介してカード通信制御部２７へ送信し、このデータをカード通信制御部２７からアンテナ２８を介して送信し、この送信されてきたデータが非接触式カード３０のアンテナ３１を介して通信制御部３２で受信され、制御部２１に取り込まれ、メモリ３４に記憶される。
【００２６】
次に、本発明第１実施形態の非接触式カード３０における定期券更新のデータ送受信例及び表示例について説明する。図４は定期券更新のデータ送受信例を説明する図、図６は定期券更新の移動機における表示例を説明する図である。
【００２７】
まず、図４に示すように、移動機１０側において電源を投入すると、所定の手順に従って、移動体通信ネットワーク１との間で認証が行われる。次に、移動機１０の表示部１９に階層状に形成されたメニューを表示させて、キー操作部１８の操作により、定期券更新のためのメニューを選択すると、移動機１０側から移動体通信ネットワーク１へ階層メニューの絞込みデータが送信される。すなわち、図６に示すように、初期メニューの「自局電話番号」、「音関連機能」、「定期券」の選択画面において「定期券」を選択すると、次の「定期券の更新」と「定期券の表示」の選択メニューに移行し、ここで「定期券の更新」を選択することで、定期券の更新のためのメニューに移行し、更新開始日を入力するための画面に移行する。
【００２８】
次に、図４に示すように、移動機１０側で更新開始日を入力すると、そのデータが移動体通信ネットワーク１へ送信され、続いて更新期間の入力を促す更新期間のプロンプト状態に移行する。次に、移動機１０において更新期間を入力すると、そのデータが移動体通信ネットワーク１側に送信され、さらに通信ネットワーク６の鉄道事業者等のサーバ７へ送信され、このサーバ７からは請求金額のデータが移動体通信ネットワーク１に返送されてくる。続いて、移動体通信ネットワーク１が移動機１０側に支払方法の確認要求を送信し、移動機１０側が支払方法を確認の回答を送信すると、移動体通信ネットワーク１は、暗証番号の請求を移動機１０側へ送信する。すなわち、図６に示すように、更新開始日の入力の画面において、開始日として、例えば、平成１２年７月１５日を示す［120715］を入力すると、次の更新期間を入力する「１ヶ月」、「３ヶ月」、「６ヶ月」の内のいずれかを選択する画面に移行する。そして、この更新期間として、例えば、６ヶ月を選択すると、図示しない支払方法の確認を行なった後に、暗証番号を入力する画面に移行する。なお、支払方法は、例えば、予め登録しておいた銀行引落し、あるいは電話料金に含めての支払い等を選択する。
【００２９】
次に、図４に示すように、移動機１０側において、暗証番号を入力しそのデータを送信すると、移動体通信ネットワーク１は、暗証番号が正しいことを判断して、サーバ７へ認証確認を転送する。認証確認を受信したサーバ７は、更新定期券の発行の処理を行ないそのデータを移動体通信ネットワーク１へ送信する。定期券発行を受信した移動体通信ネットワーク１は、移動機１０へ更新定期券の発行通知を行なう。すなわち、図６に示すように、暗証番号を入力して送信した後に、移動体通信ネットワーク１から更新定期券の発行通知が送信され、例えば、「平成１２年７月１５日から平成１３年１月１４日まで更新しました。」が表示される。この発行通知を受信した移動機１０は、携帯電話部１１の制御部２１の制御の元に、更新定期券の発行に関わるデータ一旦メモリ２０に記憶させた後、上記の手順に従って非接触式カード３０のメモリ３４へ書き込み定期券の更新処理を行なう。
【００３０】
次に、移動機１０における定期券内容とプリペードカードの残高の表示例を説明する。図７は定期券内容の表示例を説明する図、図８はプリペードカードの残高の表示例を説明する図である。
【００３１】
定期券内容を表示するためには、移動機１０が上記の手順に従って予め非接触式カード３０から定期券内容を読み出してメモリ２０に記憶させておく。次に、表示部１９に表示させた初期メニュで「定期券」を選択し、次のメニューで「定期券の表示」を選択すると、携帯電話部１１の制御部２１がメモリ２０から定期券内容を読み出し、表示部１９に、例えば、「通勤６ヶ月  国分寺←→新宿  ３月１３日から１２．９．１２まで  ５４４４０円  １２．３．１３」が表示される。これにより、６ヶ月の国分寺と新宿間の通勤定期で、有効期間が平成１２年３月１３日から平成１２年９月１２日で、定期券代金が５４４４０円で、平成１２年３月１３日に購入したことを知ることができる。
【００３２】
プリペードカードの残高を表示するためには、上記の通り移動機１０が予め非接触式カード３０からプリペード残高を読み出してメモリ２０に記憶させておく。次に、表示部１９に表示させた初期メニュで「プリペードカード」を選択し、次のメニューで「残高情報」を選択すると、携帯電話部１１の制御部２１がメモリ２０からプリペードカードの残高を読み出し、表示部１９に、例えば、「プリペードカード残高  ￥３０８０」が表示される。これにより、プリペードカードの残高が３０８０円であることを知ることができる。
【００３３】
次に、本発明第１実施形態の非接触式カード３０におけるプリペードカードを使用した乗降履歴のデータ送受信例及び表示例について説明する。図５はプリペードカードの乗降履歴のデータ送受信例を説明する図、図９は乗降履歴の移動機の表示例を説明する図である。
【００３４】
非接触式カード３０のメモリ３４の乗降履歴領域には、上記の通り最も新しい２０件等の一定の限られた件数のみ記憶したいるため、その表示のためにはサーバ７へ照会する。まず、図５に示すように、移動機１０側において電源を投入すると、所定の手順に従って移動体通信ネットワーク１との間で認証が行われる。次に、移動機１０の表示部１９に階層メニューを表示させて、キー操作部１８の操作により、プリペードカードの乗降履歴のためのメニューを選択すると、移動機１０から移動体通信ネットワーク１へ階層メニューの絞込みデータが送信され、続いて移動体通信ネットワーク１から鉄道事業者のサーバ７にアクセスし、そのデータベース８へ乗降履歴を照会する。サーバ７は、要求された乗降履歴の情報をデータベース８から読み出し、移動体通信ネットワーク１へ送信する。サーバ７から乗降履歴の情報を受信した移動体通信ネットワーク１は、移動機１０で表示するに適したデータに要求情報を加工して転送する。要求情報を受信した移動機１０は、携帯電話部２１の制御の元に乗降履歴に関するデータ一旦メモリ２０に記憶させた後、表示部１９において表示させる。すなわち、図９に示すように、表示部１９に表示される初期メニューにおいて、「プリペードカード」を選択し、次に表示されるメニューで、「乗降履歴」を選択すると、上記の通りサーバ７からデータベース８の対応する乗降履歴に関するデータがメモリ２０に記憶され、そのデータを制御部２１が読み出し、表示部１９に表示される。この乗降履歴の表示は、例えば、利用日の月日、乗車駅名、前引の金額、降車駅名、残高が順番に表示され、また、プリペードカードの料金の積み増しをしたときには、入金の月日、入金金額、残高が表示される。表示例では、例えば、「月日」、「乗車駅」、「前引」、「降車駅」、「残高」に対応した部分に、それぞれ利用月日が４月２０日を示す「4/20」、乗車駅名が「新宿」、前引き金額が１３円を示す「13」、降車駅名が「東京」、残高が４８１円を示す「 481」等が表示され、また、４月２５日に５００円入金して残高が６１９円になったことを示す、「4/25 入金 500  619」表示される。これにより、プリペードカードによる乗降履歴と残高を知ることができる。
【００３５】
上記構成によれば、移動機１０は、通常の音声通話が可能な機能、データの送受信を行なう機能、及びデータの表示機能を有する携帯電話部１１を備えるだけでなく、ゲート用処理装置４０に定期券あるいはプリペードカードとして使用できる非接触式カード３０を、同様の非接触で読み書きできるカード通信部２５を一体的に備えているため、移動機１０と非接触式カード３０を一緒に携帯し改札口等を通過するときには、非接触式カード３０を使用してゲート用処理装置４０のドアを開いて通過することができる。また、非接触式カード３０の定期券内容あるいはプリペード残高を知りたいときには、移動機１０のカード通信部２５のアンテナ２８が設けられた通信エリア内に非接触式カード３０をかざすことで、通信が開始し、非接触式カード３０のメモリ３４に記憶されたデータが読み出され、携帯電話部１１のメモリ２０に一旦記憶され、制御部２１がそのメモリ２０からデータを読み出し表示部１９で表示できるため、定期券内容あるいはプリペード残高を簡単にいつでも知ることができる。さらに、携帯電話部１１のデータ送受信機能を利用することで乗降履歴のデータをプリペードカード毎に管理しているデータベース８に、移動体通信ネットワーク１及び通信ネットワーク６からサーバ８を介して照会し、移動機１０のメモリ２０に乗降履歴のデータを記憶し、このデータを制御部２１が読み出し表示部１９に表示することができるため、プリペードカードの乗降履歴をそのときの残高とともに簡単に知ることができる。また、定期券の更新や指定券の発券あるいはプリペードカードの充当や積み増しを行なう場合には、移動機１０から移動体通信ネットワーク１及び通信ネットワーク６を介してサーバ８にアクセスし、更新や発券または充当や積み増しができ、そのデータを移動機１０のメモリ２０に一旦記憶し、そのデータを非接触式データ３０のメモリ３４に書きこむため、駅や鉄道事業者の窓口に設置されている機器を利用しなくても定期券の更新、指定券の発券あるいはプリペードカードの充当や積み増しが簡単に手元でできる。したがって、本実施形態の移動機１０では、音声通話及びデータの送受信ができるだけでなく、改札口等のゲートを非接触で通過するための定期券やプリペードカードの機能を有する非接触式カード３０のデータの読み書きができるカード通信部２５を一体的に備えることで、定期券内容、ゲート通過の履歴、残高等を表示でき、定期券の更新、指定券等の発券、あるいはプリペードカードの充当や残高の積み増しも簡単になる。
【００３６】
図１０及び図１１は本発明第２実施形態を説明する図であり、図１０は移動機とゲート用処理装置の構成を説明するブロック図、図１１はネットワーク構成を説明する図である。なお、第１実施形態に対応する部分は同一の符号を記し詳細の説明を省略する。
【００３７】
これらの図において、本実施形態においては、移動機５０と、第１実施形態と同様のゲート用処理装置４０とを有し、また移動機５０を含む移動体通信ネットワーク１は、同様に鉄道事業者等のサーバ７及びデータベース８が接続された通信ネットワーク６に接続されている。
【００３８】
移動機５０は、第１実施形態と同様の機能にアンテナ５２を一体的に設けた携帯電話部５１と、この携帯電話部５１にコネクタ等により装着自在に接続されて組み込まれるゲート制御部５３とを備えている。
【００３９】
携帯電話部５１は、第１実施形態と同様の部分を有する他にゲート用処理装置４０との間で無線結合によりデータの送受信をするためのアンテナ５２が一体的に設けられている。ゲート制御部５３は、例えば、寸法が２０ｍｍ×２５ｍｍ程度の集積回路を設けた小型カードであり、インターフェース回路５４、カード制御部５５、通信制御部５６、メモリ５７等を備えており、携帯電話部５１に組み込まれたときには、インターフェース回路５４が携帯電話部５１の制御部２１にコネクタ５８を介して接続され、通信制御部５６が携帯電話部５１に設けたアンテナ５２を介してコネクタ５９で接続されるようになっている。通信制御部５６は、アンテナ５２とゲート用処理装置４０のアンテナ４１との無線結合により、ゲート用処理装置４０からの無線による非接触での送信（呼び掛け）に呼応して、処理を開始しデータの送受信を制御する部分である。アンテナ５２は、第１実施形態における非接触式カード３０と同様のゲート用処理装置４０のアンテナ４１との無線結合に適したコイルである。メモリ５７は、ゲート用処理装置４０呼び掛けに対する処理を行なうルーチンが記憶されるとともに、第１実施形態と同様の定期券内容記憶領域、乗降履歴記憶領域、プリペード残高記憶領域を有する。インターフェース回路５８は、携帯電話部５１の制御部２１とカード制御部５５との間にあって書き込むデータや読み出したデータを送受信するための回路である。なお、ゲード用処理装置４０、移動体通信ネットワーク１、サーバ７及びデータベース８を接続した通信ネットワーク６は、第１実施形態と同様である。
【００４０】
上記構成によれば、移動機５０は、通常の音声通話が可能な機能、データの送受信を行なう機能、及びデータの表示機能を有する携帯電話部５１を備えるだけでなく、ゲート用処理装置４０に定期券あるいはプリペードカードとして非接触で使用できる小型カードからなるゲート制御部５３が、コネクタ５８，５９を介して携帯電話部５１に装着自在に接続されて組み込まれるため、移動機５０を使用してゲート用処理装置４０のドアを開いて通過することができる。また、ゲート制御部５３の定期券内容あるいはプリペード残高を知りたいときには、携帯電話部５１のキー操作部１８の操作により、ゲート制御部５３と通信を開始し、カード制御部５５がメモリ５７から読み出したデータをインターフェース回路５４を介して制御部２１へ取り込みんでメモリ２０に一旦記憶し、制御部２１がそのメモリ２０からデータを読み出し表示部１９で表示できるため、定期券内容あるいはプリペード残高を簡単にいつでも知ることができる。さらに、第１実施形態と同様に、携帯電話部５１のデータ送受信機能を利用することでデータベース８に、移動体通信ネットワーク１及び通信ネットワーク６からサーバ８を介して照会し、表示部１９に表示することができるため、プリペードカードの乗降履歴をそのときの残高とともに簡単に知ることができる。また、定期券の更新や指定券の発券あるいはプリペードカードの充当や積み増しを行なう場合には、移動機５０から移動体通信ネットワーク１及び通信ネットワーク６を介してサーバ８にアクセスし、更新や発券または充当や積み増しができ、そのデータを移動機５０のメモリ２０に一旦記憶し、そのデータをゲート制御部５３のメモリ５７に書きこむため、駅や鉄道事業者の窓口に設置されている機器を利用しなくても定期券の更新、指定券の発券あるいはプリペードカードの充当や積み増しが簡単に手元でできる。この第２実施形態においては、第１実施形態と異なり、非接触式カード３０に相当する機能の内のアンテナ５２部分が移動機５０の携帯電話部５１に一体的に設けられ、その他の機能がゲート制御部５３として小型カードがコネクタ５８，５９を介して携帯電話部５１に装着自在に接続されて組み込まれるため、移動機５０のみを所持することで第１実施形態と同様のことが可能になる。このような小型カードからなるゲート制御部５３は、鉄道事業者等の購入窓口において、定期券またはプリペードカード、あるいは両者を備えるものとして購入する。従って、最初に購入した場合には、第１実施形態の非接触式カード３０と同様に、定期券では利用区間や有効期間が予め設定され、プリペードカードでは利用金額が予め設定されている。そして、移動機５０は、定期券またはプリペードカードのいずれで使用できるかを設定できるようになっている。
【００４１】
図１２及び図１３は本発明第３実施形態を説明する図であり、図１２は移動機とゲート用処理装置の構成を説明するブロック図、図１３は移動機によりゲート用処理装置を使用する状態を説明する斜視図である。なお、第１実施形態に対応する部分は同一の符号を記し詳細の説明を省略する。また、通信ネットワークは第１及び第２実施形態と同様であり図面による記載を省略する。
【００４２】
これらの図において、本実施形態においては、移動機６０と、第１実施形態と同様のゲート用処理装置４０とを有し、また移動機６０を含む移動体通信ネットワーク１は、同様に鉄道事業者等のサーバ７及びデータベース８が接続された通信ネットワーク６に接続されている。
【００４３】
移動機６０は、第１実施形態と同様の携帯電話部６１と、この携帯電話部６１に一体的に集積回路として組み込まれたゲート制御部６２とを備えている。
【００４４】
ゲート制御部６２は、第２実施形態と同様の機能を有するインターフェース回路６３、制御部６４、通信制御部６５、メモリ６６に加えて、アンテナ６７を備えている。第２実施形態においては、移動機５０の携帯電話部５１にアンテナ５２を設け、ゲート制御部５３を小型カードとして装着自在にしているが、本実施形態の移動機６０においては、アンテナ６７を含むゲート制御部６２の全ての構成を集積回路として組み込んでいる。従って、各部の機能は第２実施形態と同様である。すなわち、通信制御部６５は、アンテナ６７とゲート用処理装置４０のアンテナ４１との無線結合により、ゲート用処理装置４０からの無線による非接触での送信（呼び掛け）に呼応して、処理を開始しデータの送受信を制御する部分である。アンテナ６７は、第２実施形態と同様のゲート用処理装置４０のアンテナ４１との無線結合に適したコイルである。メモリ６６は、第２実施形態と同様のルーチンが記憶されるとともに、定期券内容記憶領域、乗降履歴記憶領域、プリペード残高記憶領域を有する。インターフェース回路６３は、携帯電話部６１の制御部２１と制御部６４との間にあって書き込むデータや読み出したデータを送受信するための回路である。なお、ゲード用処理装置４０、移動体通信ネットワーク１、サーバ７及びデータベース８を接続した通信ネットワーク６は、第１実施形態と同様である。
【００４５】
ゲート用処理装置４０は、図１３に示すように、装置本体７１にアーム７２が設けられ、その装置本体７１の前後部にはゲート部４６を構成する乗降客の入出を規制するためのドア７３が設けられ、正面側には進行方向案内表示部７４が設けられ、入り口側の上面にはアンテナ４１を設けた移動機６０を通信領域内にかざすためのかざし部７７が設けられ、出口側の上面にはゲート部４６を構成する案内表示部７５が設けられ、側面側には同様にゲート部４６を構成するスピーカ７６が設けられて、かつ内部にはインターフェース回路４３、制御部４３、メモリ４５等からなる制御装置７８が設けられている。
【００４６】
上記構成によれば、移動機６０は、通常の音声通話が可能な機能、データの送受信を行なう機能、及びデータの表示機能を有する携帯電話部６１を備えるだけでなく、ゲート用処理装置４０に定期券あるいはプリペードカードとして非接触で使用できるゲート制御部６２が、集積回路として一体的に組み込まれているため、第２実施形態と同様に、移動機６０のみを使用してゲート用処理装置４０のドアを開いて通過することができる。すなわち、図１３に示すように、ゲート用処理装置４０の装置本体７１の入り口側の上面にアンテナ４１を設けられたかざし部７７の通信領域内に移動機６０をかざすことで通信が開始され、ゲート通過の条件を満たしていることで、出口側のドア７３が開き、案内表示部７５に通過できることが表示される。また、ゲート制御部６２の定期券内容あるいはプリペード残高を知りたいときには、携帯電話部６１のキー操作部１８の操作により、ゲート制御部６３と通信を開始し、制御部６４がメモリ６６から読み出したデータをインターフェース回路６３を介して制御部２１へ取り込みんでメモリ２０に一旦記憶し、制御部２１がそのメモリ２０からデータを読み出し表示部１９で表示できるため、定期券内容あるいはプリペード残高を簡単にいつでも知ることができる。さらに、第１及び第２実施形態と同様に、携帯電話部６１のデータ送受信機能を利用することでデータベース８に、移動体通信ネットワーク１及び通信ネットワーク６からサーバ８を介して照会し、表示部１９に表示することができるため、プリペードカードの乗降履歴をそのときの残高とともに簡単に知ることができる。また、定期券の更新や指定券の発券あるいはプリペードカードの充当や積み増しを行なう場合には、移動機６０から移動体通信ネットワーク１及び通信ネットワーク６を介してサーバ８にアクセスし、更新や発券または充当や積み増しができ、そのデータを移動機６０のメモリ２０に一旦記憶し、そのデータをゲート制御部６３のメモリ６６に書きこむため、駅や鉄道事業者の窓口に設置されている機器を利用しなくても定期券の更新、指定券の発券あるいはプリペードカードの充当や積み増しが簡単に手元でできる。この第３実施形態においては、第２実施形態の小型カードからなるゲート制御部５３と異なり、ゲート制御部６２が集積回路として一体的に組み込まれている。従って、定期券またはプリペードカード、あるいは両者を備えるものとして購入するためには、最初に鉄道事業者等の購入窓口に移動機６０を持参し、メモリ６６に定期券では利用区間や有効期間を予め設定し、プリペードカードでは利用金額を予め設定しておく。その後は、携帯電話部６１のデータ通信機能を利用して通信ネットワークを介して定期券の更新、指定券等の発券、あるいはプリペードカードの充当や残高の積み増し行なう。
【００４７】
なお、上記各実施形態において、ゲート用処理装置４０は、自動改札機を例に説明したが、自動精算機であってもよく、例えば、定期券の利用区間を超えて使用したときに、プリペードカードとして使用するように切り替えて、非接触式の自動精算機により精算処理を行ない、その精算結果を非接触式カード３０やゲート制御部５３，６２に記録したり、あるいは精算切符を受け取るようにしてもよい。また、非接触式カード３０またはゲート制御部５３，６２を定期券あるいはプリペードカードとして利用できるようにした例を説明したが、クレジットカードとして使用できるためのデータを記録しておき、定期券や指定券を現金を持たなくても銀行引き落とし等により購入できるようにしたり、さらには駅構内等で提供される清涼飲料水、たばこ、傘等の自動販売機に使用できるようにしてもよい。
【００４８】
【発明の効果】
以上説明したように、本発明によれば、移動機に、携帯電話部と、ゲート制御のためのゲート用処理に使用する非接触式カードとデータ通信するカード通信部、あるいは直接にゲート用処理装置に使用するゲート制御部とを備えることで、。音声通話及びデータの送受信ができるだけでなく、改札口等のゲートを非接触で通過できるとともにプリペードカードの機能を有し、定期券内容、ゲート通過の履歴、残高等を表示でき、定期券の更新、指定券等の発券、あるいはプリペードカードの充当や残高の積み増しができる。
【図面の簡単な説明】
【図１】本発明第１実施形態による移動機と非接触式カードとゲート用処理装置の構成を説明するブロック図である。
【図２】本発明第１実施形態によるネットワーク構成を説明する図である。
【図３】本発明第１実施形態による非接触式カードのメモリ領域を説明する図である。
【図４】本発明第１実施形態による定期券更新のデータ送受信例を説明する図である。
【図５】本発明第１実施形態によるプリペードカードの乗降履歴のデータ送受信例を説明する図である。
【図６】本発明第１実施形態による定期券更新の移動機の表示例を説明する図である。
【図７】本発明第１実施形態による定期券内容の表示例を説明する図である。
【図８】本発明第１実施形態によるプリペードカードの残高の表示例を説明する図である。
【図９】本発明第１実施形態による乗降履歴の移動機の表示例を説明する図である。
【図１０】本発明第２実施形態による移動機とゲート用処理装置の構成を説明するブロック図である。
【図１１】本発明第２実施形態によるネットワーク構成を説明する図である。
【図１２】本発明第３実施形態による移動機とゲート用処理装置の構成を説明するブロック図である。
【図１３】本発明第３実施形態による移動機によりゲート用処理装置を使用する状態を説明する斜視図である。
【符号の説明】
１  移動体通信ネットワーク
２  基地局
３  交換機
４  情報転送システム
５  ゲートウェイ
６通信ネットワーク
７  サーバ
８  データベース
１０  移動機
１１  携帯電話部
１２  アンテナ
１３  無線送受信部
１４  音声変換回路
１５  スピーカ
１６  マイク
１７  メッセージ通信部
１８  キー操作部
１９  表示部
２０  メモリ
２１  制御部
２４  カード通信制御部
２５  カード通信部
２６  インターフェース回路
２７  カード通信制御部
２８  アンテナ
３０  非接触式カード
３１  アンテナ
３２  通信制御部
３３  カード制御部
３４  メモリ
４０  ゲート用処理装置
４１  アンテナ
４２  カードリーダ／ライタ
４３  インターフェース回路
４４  制御部
４５  メモリ
４６  ゲート部
５０  移動機
５１  携帯電話部
５２  アンテナ
５３  ゲート制御部
５４  インターフェース回路
５５  カード制御部
５６  通信制御部
５７  メモリ
５８，５９  コネクタ
６０  移動機
６１  携帯電話部
６２  ゲート制御部
６３  インターフェース回路
６４  制御部
６５  通信制御部
６６  メモリ
６７  アンテナ
７１  装置本体
７２  アーム
７３  ドア
７４  進行方向案内表示部
７５  案内表示部
７６  スピーカ
７７  かざし部
７８  制御装置
【図１】
0003820345.tif 000002
【図２】
0003820345.tif 000003
【図３】
0003820345.tif 000004
【図４】
0003820345.tif 000005
【図５】
0003820345.tif 000006
【図６】
0003820345.tif 000007
【図７】
0003820345.tif 000008
【図８】
0003820345.tif 000009
【図９】
0003820345.tif 000010
【図１０】
0003820345.tif 000011
【図１１】
0003820345.tif 000012
【図１２】
0003820345.tif 000013
【図１３】
0003820345.tif 000014